(57)【特許請求の範囲】
【請求項１】
圧縮機（２）と燃焼器（４）とタービン（６）とを有し、圧縮機終圧（１２０、１１８）が制御量として利用される、ガスタービン（１）の運転方法であって、
圧縮機終圧（１２０、１１８）の最大変化速度が予め設定されていることを特徴とするガスタービン（１）の運転方法。
【請求項２】
圧縮機終圧（１２０、１１８）の設定値が予め与えられていることを特徴とする請求項１に記載の運転方法。
【請求項３】
ガスタービン（１）の圧縮機（２）が多数の可調整前置静翼（３）を有し、圧縮機終圧（１２０、１１８）がその前置静翼（３）の位置変化によって調整されることを特徴とする請求項１又は２に記載の方法。
【請求項４】
ガスタービン（１）の排ガス温度が、燃焼器（４）のバーナ（１０）への燃料供給の変化によって調整されることを特徴とする請求項１ないし３のいずれか１つに記載の方法。
【請求項５】
ガスタービン（１）の圧縮機（２）の出口で空気が取り出されることを特徴とする請求項１ないし４のいずれか１つに記載の方法。
【請求項６】
取り出された空気が空気分解装置に供給され、この空気分解装置で得られた酸素が合成ガスを発生するために利用され、その合成ガスがガスタービン用の高温ガスを発生するために燃焼されることを特徴とする請求項５に記載の方法。
【請求項７】
圧縮機（２）と燃焼器（４）とタービン（６）と圧縮機終圧センサが付設された制御装置とを有するガスタービン（１）であって、
その制御装置が、請求項１ないし６のいずれか１つに記載の方法を実施するために設計されていることを特徴とするガスタービン。
【請求項８】
請求項７に記載のガスタービン（１）を備えていることを特徴とするガス・蒸気複合タービン設備。
【発明の詳細な説明】
【技術分野】
【０００１】
本発明は、圧縮機と燃焼器とタービンとを有するガスタービンの運転方法に関する。また本発明はそのようなガスタービンおよびガス・蒸気複合タービン設備に関する。
【背景技術】
【０００２】
ガスタービンは、タービンとそれに前置接続された圧縮機とその両者の間に挿入接続された燃焼器とから成る内燃熱機関である。その場合まず、空気が１つあるいは複数の圧縮機の翼装置によって圧縮され、続いて、燃焼器において気体燃料あるいは液体燃料と混合され、点火され、燃焼される。またその空気は冷却のために利用される。そのようにして、高温ガス（燃焼ガスと空気との混合気）が生じ、この高温ガスは後続のタービン部分において膨張され、その際、熱エネルギが機械エネルギに転換される。この機械エネルギはまずその一部で圧縮機を駆動し、残存エネルギが例えば発電機を駆動するために利用される。
【０００３】
圧縮機は、通常、複数の圧縮機翼を備えた複数の軸流インペラから成っている。その圧縮機は流入空気質量流の運動エネルギを、圧縮機翼装置におけるディフューザ状の、即ち、徐々に広がる中間空間で圧力エネルギに変換する。その際に失われる運動エネルギはロータ段で回収される。即ち、軸流圧縮機は全体が圧力と温度並びに速度を高めるロータ段と圧力が速度に不利なように高まるステータ段とから成っている。ロータ段は複数のドラム上に順次配置され、ステータ段は圧縮機車室（ハウジング）の内周面に固く取り付けられている。
【０００４】
空気の大きな圧縮は大きな温度上昇を引き起こす。そのようにして加熱された空気は、続いて、燃料が供給される燃焼器に流入する。その熱機関始動時に点火プラグが燃料を着火し、続いて、燃焼が連続して行われる。その燃焼によって、温度がさらに上昇し、ガスが膨張する。
【０００５】
燃焼器から流出するガスは、続いて、タービンに導入され、そこでガスの運動エネルギと熱エネルギが機械エネルギに転換される。この機械エネルギは軸を介してまず圧縮機を駆動し、また（ガスタービンの設計目的に応じて）発電機を駆動する。
【０００６】
今日において、ガスタービンはガス・蒸気複合タービン設備で利用され、そこで主に発電用に使われる。その最新形ガス・蒸気複合タービン設備は、通常、１台〜４台のガスタービンと少なくとも１台の蒸気タービンを有し、その場合、各タービンがそれぞれ１台の発電機を駆動するか（多軸形設備）、ガスタービンが共通軸上の蒸気タービンと共に唯一の発電機を駆動する（単軸形設備）。そのガスタービンの高温排ガスは廃熱ボイラで水蒸気を発生するために利用される。その発生蒸気は、続いて、蒸気タービンに導入される。通常、電力の約２／３がガスタービンで発生され、１／３が蒸気プロセスで発生される。
【０００７】
エネルギ担体の供給性に応じて、ガス・蒸気複合タービン設備は燃料ガス化複合発電システム（ＩＧＣＣ＝Integrated Gasification Combined Cycle）としても設計することができる。その場合、ガス・蒸気複合タービン設備に燃料ガス化装置が前置接続される。一次エネルギ（石炭、バイオマス、廃棄物）がガス化装置においてガス化されエネルギ豊富ガスとなる。その際に生じた生ガスは冷却され、浄化され、脱硫装置とフィルタと他のユニットを貫流される。そのように発生された合成ガスは、続いて、ガス・蒸気複合タービン設備のガスタービンに供給される。
【０００８】
合成ガスを発生するために、設計構想に応じて、ガスタービンの圧縮機終端で空気が取り出され、その空気が空気分解装置においてその主成分として酸素と窒素に分解される。完全一体形燃料ガス化複合発電システム（ＩＧＣＣ）では、空気を分解するために専らガスタービンの圧縮機終端で取り出された空気が利用され、部分一体形燃料ガス化複合発電システムでは、補助の外部圧縮機が利用される。空気分解装置で得られた酸素は合成ガス発生のために利用され、空気分解装置で副生成物として生ずる窒素の一部は合成ガスに混入され、ガスタービンの燃焼器で燃焼される。
【０００９】
ガスタービンの制御は、通常、出力調整器および温度調整器によって行われる。その出力調整器は、通常、燃料弁の調整により出力設定値を維持／調節する機能を負い、温度調整器は、圧縮機前置静翼、即ち、圧縮機の入口に在る静翼（案内羽根）を調整することにより所定のタービン出口温度を維持する機能を負っている。
【００１０】
また特許文献１において、別個に駆動されるガスタービンにおける圧縮機の出口圧力を制御することが知られている。
【００１１】
特に上述した燃料ガス化複合発電システム（ＩＧＣＣ）において、通常の制御方式の場合、タービン出口温度調整と空気分解装置との間で（特に前置静翼の調整範囲において）不安定が生ずることがある。その場合、ガスタービンにおける圧縮機の前置静翼位置の僅かな変化で取り出される空気の量が大きく変動することがあり、その変動はガスタービンにも作用し、カスケード現象の形でもはや調整不能な変動を生じさせる。かかる激しい不安定は作業員による手動操作で前置静翼をブロックすることでしか阻止できず、もっともその場合には、ガスタービンの出力調整はもはやできない。その変動はそれどころか、事情によってはガスタービンおよび（例えば空気分解装置のような）隣接システムの稼動が保証されないほど激しくなることがある。
【先行技術文献】
【特許文献】
【００１２】
【特許文献１】米国特許出願公開第２００８／００４７２７５号明細書
【発明の概要】
【発明が解決しようとする課題】
【００１３】
本発明の課題は、ガスタービンの特に安全且つ確実な運転を可能にする冒頭に述べた形式のガスタービンの運転方法を提供することにある。また、その運転方法を実施するために適したガスタービンおよびガス・蒸気複合タービン設備を提供することにある。
【課題を解決するための手段】
【００１４】
この課題は、運転方法に関しては本発明に基づいて、圧縮機終圧が制御量として利用されることによって解決される。
【発明の効果】
【００１５】
本発明は、ガスタービンにおいて空気量変動とそれに伴う不安定が徹底して防止されることによって、ガスタービンの特に確実且つ安全な運転が可能となる、という考えから出発している。その不安定は特に圧縮機の出口領域において生ずる。その不安定は主に圧力変動で特徴づけられる。その圧力変動の監視を可能とするために、圧縮機の終端における圧力が測定される。その不安定の自動的な管理および防止を可能とするために、ガスタービンを制御する際、圧縮機終圧が制御量として利用される。
【００１６】
その場合、圧縮機終圧の最大変化速度が予め与えられている。これによって、特にガスタービンの始動中あるいは負荷切換中、圧縮機終端における圧力の速すぎる変化が防止され、従って、不安定およびそのカスケード現象の発生が徹底して防止される。これによって、ガスタービンはそのような運転状態において常に確実で安全な運転が保たれる。
【００１７】
他の有利な実施態様において、圧縮機終圧に対して設定値が予め与えられている。これは特に所定の出力設定値での連続運転中に意味がある。圧縮機終圧を所定の設定値に管理および調整することによって、ガスタービンの全体としてより安定した運転が可能となり、さらに、ガスタービンは一定タービン出力で運転できる。
【００１８】
圧縮機終圧は、有利に、前置静翼の位置の変化によって調整される。つまり、前置静翼の位置は圧縮機を通って流れる空気量に直接影響を与える。従来の方式では、圧縮機前置静翼の位置はタービン出口温度をもとに決定されていた。そのタービン出口温度は圧縮機終圧の圧力センサよりも高い反応時間を有する熱電対によって検出される。従って、圧縮機終圧を介しての圧縮機前置静翼の制御はほとんど遅延無し（例えば約６秒、遅延／応動しきい値１０５ｍｂａｒ）に行うことができる。
【００１９】
ガスタービンの排ガス温度は、有利に、燃焼器のバーナへの燃料供給の変化によって調整される。タービン出口温度のかかる調整によって、燃料弁が従来の方式で利用されているようなガスタービンの前置静翼よりも、タービン出口温度をより迅速に且つより精確に調整するので、もはや許容できない大きなタービン出口温度変動は生じない。
【００２０】
他の有利な実施態様において、ガスタービンの圧縮機の出口で空気が取り出される。特に例えば石炭のガス化用酸素を提供する空気分解装置のために圧縮機の終端で空気を取り出すガスタービンにおいて、圧縮機の終端で大きな圧力変動が生ずることがある。この圧力変動による不安定は、空気取出し装置の機械的疎結合（いわゆるルーズカップリング）が不十分であり、これにより装置間で密な相互作用が起こるために生ずる。ガスタービンの相応した圧力調整によって、その不安定は防止され、空気分解装置は必要な質量流量を取り出すだけで足りる。
【００２１】
本発明によって得られる利点は特に、ガスタービンを調整するための制御量として圧縮機終圧を利用することにより、ガスタービンの特により安全且つより確実な運転が保証されることにある。というのは、圧縮機終圧の変化速度限度を空気分解装置に合わせることによって、圧縮機の出口領域で許容できない帰還結合および不安定が生じないからである。  
【００２２】
この圧力調整方式によって、空気取入れ式完全一体形燃料ガス化複合発電システム（ＩＧＣＣ）において、圧力および質量流量を調整するためにガスタービンと空気分解装置との間で従来通常に用いられていた調整弁を省くことができる。その空気分解装置は、ガスタービンで既に調整された一定圧力あるいは最大圧力勾配のもとでその必要空気量を取り入れる。部分一体形燃料ガス化複合発電システムの場合、調整弁は空気排出のための質量流量制限のためにさらに利用することができる。この圧力調整方式はここではすべての結合形態を考慮に入れている。
【００２３】
その圧力調整方式によってまた、燃料弁がガスタービンの前置静翼よりも迅速且つ精確にタービン出口温度を調整するので、許容できない大きなタービン出口温度変動が生じない。これによって、故障時でも全体として全設備部品のより穏やかな反応が可能となる。上位の出力調整によって、ガスタービンの正常運転中において負荷操作員ないし出力設定値の要件が満たされる。かかる出力調整の場合、前置静翼の調整範囲において常に空気分解装置に対する許容圧力勾配が保たれる。
【００２４】
その圧力調整方式における調整構成によって、外（空気分解装置、石炭ガス化装置）からの影響が明確且つ再生可能な挙動で調節され、顧客要求に最良に合わされる。
【００２５】
以下図を参照して本発明の実施例を詳細に説明する。なお各図において同一部分には同一符号が付されている。
【図面の簡単な説明】
【００２６】
【図１】ガスタービンの概略縦断面図。
【図２】圧力調整方式の概略図。
【発明を実施するための形態】
【００２７】
図１は好例として環状燃焼器形ガスタービン１を示している。例えばサイロ形燃焼器や缶形燃焼器のような他の多くの構想も考えられる。ガスタービン１は燃焼空気を圧縮するための圧縮機２を有している。圧縮機２の空気貫流量を調整するために、圧縮機２は可調整前置静翼（案内羽根）３を有している。またガスタービン１は、燃焼器４および圧縮機２と発電機や作業機械（図示せず）を駆動するためのタービン６を有している。そのためにタービン６および圧縮機２はタービンロータとも呼ばれる共通のタービン軸８上に配置されている。このタービン軸８はその中心軸線９を中心に回転可能に支持され、発電機ないし作業機械が結合されている。
【００２８】
図示された実施例において環状燃焼器の形に形成された燃焼器４は、液体燃料あるいは気体燃料を燃焼するための複数のバーナ１０が装備されている。また燃焼器４はその内壁に遮熱要素（図示せず）が内張りされている。
【００２９】
タービン６はタービン軸８に取り付けられた多数の動翼１２を有している。これらの動翼１２はタービン軸８に輪状に配置され、これによって、複数の動翼列を形成している。またタービン６は多数の静翼１４を有し、これらの静翼１４も同様に輪状に配置されて静翼列を形成し、タービン６の内部車室１６に取り付けられている。その動翼１２は、タービン６を貫流する作動媒体（燃焼ガス）Ｍの衝撃伝達によってタービン軸８を駆動するために使われる。これに対して静翼１４は、作動媒体Ｍの流れ方向に前後する２つの動翼列あるいは動翼輪の間において、作動媒体Ｍの流れを案内するために使われる。互いに相前後して位置する一対の静翼輪あるいは静翼列と動翼輪あるいは動翼列は、タービン段とも呼ばれる。
【００３０】
各静翼１４は翼脚とも呼ばれる翼台座１８を有し、この翼台座１８は静翼１４をタービン６の内部車室１６に固定するために壁要素として配置されている。その翼台座１８は熱的に非常に大きく負荷される部品であり、この部品はタービン６を貫流する作動媒体Ｍに対する高温ガス通路の外側境界部を形成している。各動翼１２も同じように翼脚とも呼ばれる翼台座２０を介してタービン軸８に取り付けられている。
【００３１】
ガスタービン１はこれを制御するために制御装置３０を有し、この制御装置３０は一方ではバーナ１０への燃料供給を調整し、他方では圧縮機２の前置静翼３の位置を調整する。その場合通常、ガスタービン出力およびガスタービン１の出口における流れ媒体Ｍの出口温度が制御量として使用される。
【実施例１】
【００３２】
タービン出口温度が圧縮機２の前置静翼３の調整によって調節され、タービン出力がバーナ１０への燃料供給の調整によって調節される旧来の制御方式の場合、圧縮機２の出口領域において不安定が生ずることがある。これは特に、圧縮機２の終端で空気が取り出され、その空気が空気分解装置（図示せず）に導かれ、そこで酸素と窒素に分解され、その酸素が固形燃料例えば石炭を合成ガスの形にガス化するために利用される場合に当てはまる。その不安定を防止するために、ガスタービン１における圧縮機２の終端に、圧縮機終圧を監視する圧力センサ３２が設けられている。
【００３３】
制御装置３０の機能が図２の接続図で示されている。
【００３４】
はじめに、ガスタービン１の制御のために、出力設定値４０と排ガス温度設定値４２が予め与えられる。その出力設定値４０は発電所の要求に依存し、ないしは、電源系統における必要な電力に依存する。排ガス温度設定値は、ガス・蒸気複合タービン発電所において通常はガスタービン１に後置接続されたボイラの設計に応じて決定される。
【００３５】
出力設定値４０はまず処理装置４４に送られる。この処理装置４４は出力の変化に対する相応した限界値を考慮に入れて、相応した遅延出力設定値を出力する。この遅延出力設定値は、その出力設定値がガスタービン１の設計に依存する限界出力値４８を超過しているか否かについて検査する処理装置４６に送られる。その場合、限界出力値４８と処理装置４４から発信される遅延出力設定値とから最小値が形成され、次に送られる。
【００３６】
差分装置５０においてまず、標準化された出力実際値５２に対する予め与えられた出力設定値の差が形成され、速度出力調整装置５４に送られる。その速度出力調整装置５４は以下の前提条件が満たされたときだけ出力を出す。即ち、第１に、排ガス温度管理が活かされていない（入力端５６）。第２に、少なくとも圧縮機前置静翼が閉じられているか（入力端５８）、前置静翼調整器が活かされていないか（入力端６０）、排ガス温度管理が作用していない（入力端６２）のいずれかの状態である。
【００３７】
速度出力調整装置５４で得られた出力値は、続いて、処理装置６４に送られる。速度出力調整装置５４における処理に代えて、その出力値をバイパス装置６６を介してバイパスすることもでき、これによって、処理装置４６からの出力設定値の処理装置６４への直接の比例的なバイパスが行われる。
【００３８】
出力設定値４０と並行して排ガス温度設定値４２が演算処理される。この排ガス温度設定値４２はまず処理装置６８に与えられ、この処理装置６８は、所定の排ガス温度設定値４２と最低排ガス温度調整器７０の排ガス温度値とから最小値を形成する。その最小値が最低排ガス温度調整器７０の出力値である場合、処理装置６８は最低排ガス温度調整器７０の信号を次ぎへ作用させない（出力端７２）。
【００３９】
処理装置６８で得られた排ガス温度の値はもう１つの処理装置７４に送られ、この処理装置７４では外部温度および外部圧力などの周囲条件が考慮され且つ運転固有の限界値が考慮される。そのようにして得られた排ガス温度の設定値は差分装置７６に送られ、この差分装置７６において実際の排ガス温度値７８に対する差が求められる。そこで求められた差は排ガス温度調整器８０に送られる。その場合、少なくとも排ガス温度調整器８０の入力信号が作用しているとき（入力端６２）あるいは負荷降下が生じたとき、即ち、ガスタービン１で引き受けられる負荷の瞬間的低下が生じたとき（入力端８２）、排ガス温度調整器８０は出力を出す。そして同様に、排ガス温度調整器８０の出力信号が処理装置６４に送られる。
【００４０】
処理装置６４は、速度出力調整装置５４の出力値および排ガス温度調整器８０の出力値のほかに、他の入力データも考慮に入れる。それは、一方では、所定の燃料質量流量曲線をもとにガスタービン１の始動過程を制御するランプ関数発生器（加速値発生器）８４の燃料質量流量値であり、他方では、ガスタービン１の圧縮機２の入口圧力と出口圧力を監視する圧力比限界調整器８６の予め与えられた最大圧力比設定値である。即ち、例えばガスタービン１の燃焼器４で爆燃が生じた際、流れの断続ないし逆流が生ずることがあり、これにより圧縮機２においてガスタービンの出力の低下が必要となる。
【００４１】
処理装置６４は複数の入力データの中からその都度最も未臨界の燃料質量流量値を選択し、求められた最小値を燃料弁の位置設定値形成装置８８に送る。燃料ガス化複合発電システム（ＩＧＣＣ設備）、即ち、完全一体形石炭ガス化複合発電システムに対するこの制御装置３０において、それぞれ石炭ガス分量および混入された天然ガスが求められ、その都度の燃料量値が天然ガス弁の位置調整器９０ないし石炭ガス弁の位置調整器９２に送られる。それらの位置調整器９０、９２はそれぞれ天然ガス弁９４ないし石炭ガス弁９６の位置を制御する。
【００４２】
最低排ガス温度調整器７０はガスタービンの運転状態に依存する入力信号を受ける。この最低排ガス温度調整器７０は、ガスタービンの始動過程において差分装置９８から出力差信号を受ける。この差分装置９８は、処理装置４６で発生された設定出力とガスタービンの標準化された出力実際値５２の差を形成する。始動過程後は、即ち、速度出力調整装置５４がオン状態となり、排ガス温度調整器がオン状態であり（入力端５６）且つ圧縮機最低圧力調整器が作用していない（入力端１００）ときには、所定の排ガス温度設定値４２のみが支配的である。
【００４３】
標準化された出力実際値５２と処理装置４６からの出力設定値との差が入力信号として静翼出力調整器１０２に与えられる。少なくとも圧力比限界調整器が作用しているか（入力端１０４）、排ガス温度調整器が作用し（入力端６２）且つ最低排ガス温度調整器が作用している（入力端７２）とき、静翼出力調整器１０２は出力を出す。また、圧縮機終圧設定値１０６が静翼出力調整器１０２に対して下限値として提供される。
【００４４】
静翼出力調整器１０２の場合も速度出力調整装置５４に類似して、バイパス装置１０８が利用され、このバイパス装置１０８を介して必要に応じて出力設定値の直接の比例的なバイパスが行われる。静翼出力調整器１０２ないしバイパス装置１０８の信号は、静翼圧力調整器１１２に対する暫定的設定値を求める処理装置１１０に送られる。さらに、圧縮機最低圧力調整器が作動していない（入力端１１６）場合には、その処理装置１１０の入力データとして圧縮機最低終端圧力１１４に対する設定値が提供される。またその処理装置１１０は圧縮機最低圧力調整器を作用させる（入力端１００）。
【００４５】
処理装置１１０の出力信号は処理装置１１８に送られる。そしてこの処理装置１１８は圧縮機終圧の設定値を算出し、その場合、圧縮機終圧に対する運転上の全ての所定の限界値並びに圧縮機終圧の許容変化速度を利用する。それに応じて、処理装置１１８はまたガスタービン１におけるセンサ３２からの圧縮機終圧実際値１２０を直接受け取る。
【００４６】
前置静翼調整器が作動されておらず、即ち、静翼が手動で調整され、排ガス温度調整器も作用しておらず（入力端６２）、圧縮機最低圧力調整器も活動されておらず（入力端１１６）、あるいは圧力比制限調整器も作用していない（入力端１２２）場合には、処理装置１１８はその時の圧縮機終圧実際値１２０を設定値として出力する。静翼圧力調整機能が活動されるや否や（入力端１２４）、前記設定値は凍結され、処理装置１２６を介して処理装置１１８に直接送られる。そしてこの処理装置１１８が相応の一定した圧縮機終圧設定値１０６を算出し、この設定値は差分装置１３０を介して静翼圧力調整器１１２に送られる。
【００４７】
その場合、静翼圧力調整器１１２は、前置静翼調整器が作動されている場合には（入力端６０）、静翼を制御する働きをし、そうでない場合には、手動で与えられた静翼位置設定値１３２が静翼位置調整器１３４に送られる。この静翼位置調整器１３４はそれに応じて静翼の位置に対する電動機１３６を制御する。
【００４８】
本発明に基づく新規の制御方式によって、特に処理装置１１８における圧縮機終圧を考慮することによって、ガスタービン１およびガス・蒸気複合タービン設備の全体としてより安全でより安定した運転を可能となる。これは特に、燃料ガス化複合発電システム（ＩＧＣＣ）において圧縮機終圧の連続的監視およびガスタービン１の相応した制御により石炭ガス化のための空気取出しによる障害が徹底して防止できるために、燃料ガス化複合発電システム（ＩＧＣＣ）に対して設計されたガス・蒸気複合タービン設備に適用される。
【符号の説明】
【００４９】
１    ガスタービン
２    圧縮機
４    燃焼器
６    タービン
１０    バーナ
１１８    圧縮機の静翼圧力設定値を求める処理装置
１２０    圧縮機終圧実際値
【図１】
0005294979.tif 000002
【図２】
0005294979.tif 000003